(57)【要約】【課題】アクセスポイント提供者にも、広告収入を得られるシステムを提供する。【解決手段】利用者１５は特に情報経路を意識することなく、広告主またはアクセスポイント提供者１４からの宣伝情報をインターネットサービスプロバイダ１０、ホームページ提供者１１、アクセスポイント提供者１２から提供され、広告主８はそれぞれ提供された情報に対する宣伝費をインターネットサービスプロバイダ１０、ホームページ提供者１１、アクセスポイント提供者１２に支払う。【選択図】        図５
2004258945.tif 000002
【特許請求の範囲】
【請求項１】
利用者端末がインターネットへ接続するアクセスポイントを提供するアクセスポイント提供装置において、
上記利用者端末からインターネットへの接続要求を受け付け、受け付けた接続要求に基づいてインターネットへ接続するアクセス判定部と、
上記アクセス判定部が接続要求を受け付けたことを検知し、所定の広告情報を上記利用者端末へ提供する情報処理部と、
上記広告情報を提供した回数をカウントするアクセスカウンタと
を備えることを特徴とするアクセスポイント提供装置。
【請求項２】
インターネットは、情報を提供する情報サーバを接続し、
上記アクセス判定部は、所定情報の提供を要求する情報要求を利用者端末から受け付け、受け付けた情報要求を上記情報処理部へ通知し、
上記情報処理部は、上記情報要求に基づいて、上記情報サーバから要求された要求情報を入手するとともに、所定の広告情報を上記利用者端末へ提供することを特徴とする請求項１記載のアクセスポイント提供装置。
【請求項３】
上記利用者端末は、アクセスポイント提供装置を経由して通話し、
上記アクセス判定部は、上記利用者端末が通話を保留していることを検出し、上記情報処理部は、所定の広告情報を保留中の利用者端末へ提供することを特徴とする請求項１記載のアクセスポイント提供装置。
【請求項４】
上記利用者端末は、所定のエリア内で発信される情報の受信を待ち受ける待機状態の設定を有し、
上記情報処理部は、上記待機状態の設定をしている利用者端末へ提供する利用者提供情報を作成し、
上記アクセス判定部は、上記利用者提供情報を上記待機状態の設定をしている利用者端末へ送信することを特徴とする請求項１記載のアクセスポイント提供装置。
【請求項５】
上記要求情報は、情報を挿入する領域を有し、
上記情報処理部は、上記領域へ上記所定の広告情報を挿入することを特徴とする請求項２記載のアクセスポイント提供装置。
【請求項６】
利用者端末がインターネットへ接続するアクセスポイントを提供するアクセスポイント提供装置から広告情報を提供する広告情報提供方法において、
上記利用者端末からインターネットへの接続要求を受け付け、
受け付けた接続要求に基づいてインターネットへ接続する処理を開始し、
上記接続する処理の開始とともに、所定の広告情報を上記利用者端末へ提供し、
上記広告情報を提供した回数をアクセスカウンタによってカウントすることを特徴とする広告情報提供方法。
【発明の詳細な説明】
【０００１】
【発明の属する技術分野】
この発明は、無線ＬＡＮ等で、インターネットアクセスを可能とするアクセスポイントサービスにて個々のアクセスポイント毎に個別の情報を提供できることを利用し、アクセスポイントを提供するアクセスポイント提供装置から広告情報を提供する装置及び方法に関する。
【０００２】
【従来の技術】
従来のアクセスポイントにおいて、個々のアクセスポイントに対して個別の情報を提供する手段として様々なものが発明されている。
例えば、特開平１０−２７１２２６には、呼が接続され通話を開始するまでの間に広告などの情報を送信する呼設定時における情報提供システムの一例が開示されている。
【０００３】
【特許文献１】
特開２００１−３０６９２２号公報（第００１２、００１３段落）
【特許文献２】
特開平１０−２７１２２６号公報（第０００１２段落から第０００２４段落）
【特許文献３】
特開２００２−１０９３５６号公報（第０００４段落）
【０００４】
【発明が解決しようとする課題】
このような従来方式は、アクセスポイントの地域性を生かしたものにはなっているものの、アクセスポイントを地域情報の収集のためにしか利用していない。従って、店舗等個人で無線ＬＡＮ等のアクセスポイントサービスを提供したとしても、広告収入はインターネット接続業者や、ホームページ提供者にのみ利益を与えるものであった。そのため、アクセスポイント提供者には、顧客増加等の二次的な利益しか見込まれず、アクセスポイント普及の妨げになっていた。
【０００５】
そこで、本発明は、このような問題点を解決するためになされたもので、店舗等個人で無線ＬＡＮ等のアクセスポイントサービスを提供した場合に、アクセスポイント提供装置から情報を提供するシステム（装置及び方法）を提供することを目的としている。
【０００６】
【課題を解決するための手段】
この発明に係るアクセスポイント提供装置は、利用者端末がインターネットへ接続するアクセスポイントを提供するアクセスポイント提供装置において、
上記利用者端末からインターネットへの接続要求を受け付け、受け付けた接続要求に基づいてインターネットへ接続するアクセス判定部と、
上記アクセス判定部が接続要求を受け付けたことを検知し、所定の広告情報を上記利用者端末へ提供する情報処理部と、
上記広告情報を提供した回数をカウントするアクセスカウンタと
を備えることを特徴とする。
【０００７】
【発明の実施の形態】
実施の形態１．
本発明に係るアクセスポイント提供装置から情報を提供するアクセスポイント提供方式の一例を説明する。
図１は、アクセスポイント提供方式の一例を示すシステム構成ブロック図である。
図１のアクセスポイント提供方式は、インターネット網１、情報データサーバ２、アクセスポイント提供装置３、利用者端末４、ルータ６，イントラネット網７からなる構成を一例として示している。また、符号５は、宣伝データの流れを示す。
図において、インターネット網１または、インターネット網１からルータ６を介したイントラネット網７のいずれかに接続されたアクセスポイント提供装置３に利用者端末４がアクセスすると、宣伝情報の格納された情報データサーバ２より宣伝データの流れ５に示した経路で情報が利用者に提供される。
【０００８】
図２は、アクセスポイント提供装置３の構成の一例を示した図である。
図２では、アクセスポイント提供装置３に加え、その周辺の装置である利用者端末４と情報データサーバ２とを示し、データの流れを示している。
アクセスポイント提供装置３は、アクセス判定部３１と情報処理部３２とアクセスカウンタ３３とを含む。
アクセス判定部３１は、利用者端末４から送信される情報要求を受け付け、受け付けた情報を解析して処理を指示する。
情報処理部３２は、アクセス判定部３１からの指示に基づいて、情報を入手し、アクセス判定部３１を介して利用者端末４へ提供する。提供する情報としては、一般情報（利用者端末４から要求された要求情報）と広告情報とが一例としてあげられる。
アクセスカウンタ３３は、広告情報を利用者端末４へ提供した回数をカウントする。
【０００９】
図２では、情報データサーバ２の一例として、要求情報記録部２１と広告情報記録部２２とを示している。
要求情報記録部２１は、インターネット網１上に設置された情報提供サーバの一例である。利用者端末４から要求された要求情報を記録している。
広告情報記録部２２は、アクセスポイント提供装置３が利用者端末４へ提供する広告情報を記録する。広告情報記録部２２は、図２では、情報データサーバ２の一例としてインターネット網１上に設置されている例を示しているが、これに限られることはない。アクセスポイント提供装置３内に設置されていてもよいし、アクセスポイント提供装置３がアクセス可能な通信網上に設置されていてもよい。
利用者端末４は、携帯電話と端末装置とを一例として示している。
【００１０】
図３は、アクセスポイント提供装置３及び利用者端末４の動作の一例を示した図である。
図３を用いて、利用者端末４が情報を要求する情報要求を実施する例を説明する。情報要求は、例えば、ＵＲＬ（Ｕｎｉｆｏｒｍ  Ｒｅｓｏｕｒｃｅ  Ｌｏｃａｔｏｒ）を指定して所定のサーバから情報（例えば、ホームページ）の提供を要求する場合がある。
利用者端末４は、アクセスポイント提供装置３へ情報要求を行なう（Ｓ５１）。
アクセスポイント提供装置３のアクセス判定部３１は、情報要求を受け付け（Ｓ６１）、情報要求を判定する（Ｓ６２）。アクセス判定部３１は、判定した結果に基づき、要求情報を入手することを情報処理部３２へ指示し、情報処理部３２は、上記指示に基づいて、要求された情報を要求情報記録部２１から入手する（Ｓ６３）。また、並行して、広告情報記録部２２から提供する広告情報を入手する（Ｓ６４）。情報処理部３２は、入手した要求情報と広告情報とを併せて上記アクセス判定部３１を介して利用者端末４へ提供する（Ｓ６５）。同時に、アクセスカウンタ３３をカウントアップする（Ｓ６６）。
利用者端末４は、アクセスポイント提供装置３から提供（送信）された情報を受信する（Ｓ５２）。
【００１１】
図４は、利用者端末４へ提供された情報の構成を示す図である。
図４の上段は、従来の情報の構成の一例を示し、下段は、本発明の情報の構成の一例を示している。
従来、要求情報と要求情報提供装置（情報データサーバ２、一例として要求情報記録部２１）から提供された広告情報Ａを提供する場合（以下、「情報１００」と記す）と、要求情報のみを提供する場合（以下、「情報１１０」と記す）とがあった。
本発明では、情報１００は、要求情報と広告情報Ａに加え、アクセスポイント提供装置３から提供された広告情報Ｂとを提供する場合（以下、「情報２００」と記す）、要求情報と広告情報Ｂとを提供する場合（以下、「情報２１０」と記す）とになる。
また、情報１１０は、要求情報と広告情報Ｂとを提供する場合（以下、「情報２２０」と記す）。
【００１２】
上記情報２００は、情報１００へ広告情報Ｂが追加された場合である。
また、情報２１０は、情報１００の広告情報Ａが広告情報Ｂに置換された場合である。情報２１０は、広告情報Ｂが要求情報の一部として提供される、例えばバナー広告の場合である。
情報２２０は、情報１１０へ広告情報Ｂが追加された場合である。
情報２００、情報２１０、情報２２０ともに、アクセスポイント提供装置の提供者へ広告料が入ることになる。また、情報２１０の場合、広告情報利用効率上、要求情報の提供者へも報酬が提供される場合がある。
【００１３】
次に、この宣伝データ情報が提供された際の宣伝費と広告情報の流れを図５に示し説明する。
図５において、利用者１５は利用者端末４を用いて、特に情報経路を意識することなく、広告主またはアクセスポイント提供者１２（アクセスポイント提供装置３）からの宣伝情報をインターネットサービスプロバイダ１０、ホームページ提供者１１、アクセスポイント提供者１２から提供され、広告主８はそれぞれ提供された情報に対する宣伝費をインターネットサービスプロバイダ１０、ホームページ提供者１１、アクセスポイント提供者１２に支払う。
【００１４】
アクセスポイント提供者１２に支払われる報酬は、アクセスカウンタ３３がカウントアップしたカウントに基づいて、支払われる。アクセスポイント提供装置３は、アクセスカウンタ３３がカウントアップした回数に基づいて、広告料の請求額を算出する。広告料の請求・支払い方法については、銀行口座からの自動引き落とし、あるいは、クレジットカードによる支払いの要求等が考えられる。アクセスポイント提供装置を管理するアクセスポイント提供者は、広告情報を提供した者から徴収する。ここでは広告料の請求・支払いについての詳細な説明は省略する。
【００１５】
このようなシステム構成のなかで、例えば、特開平１０−２７１２２６号公報（特許文献２）に示されたような技術により、アクセスポイント毎に異なった情報を得ることができるため、店舗等個人で提供されたアクセスポイント提供装置３を利用して電話をかける際に、ダイヤル処理を終えてから、相手に接続されるまでの時間に、アクセスポイント固有の情報を利用者に提供することができる。
【００１６】
上記説明した宣伝費および広告情報の流れにより、アクセスポイント提供者にも広告収入の確保、および、自身の広告提供が出来るようになる。
【００１７】
実施の形態２．
上記実施の形態１では、アクセスポイント提供装置３は、利用者端末４へ、広告情報（図４の広告情報Ｂ）と要求情報とを併せて提供する場合を説明したが、広告情報と要求情報を別々のタイミングで提供することも可能である。
図６は、要求された要求情報を入手する間に、広告情報を先に提供する場合を説明する。すなわち、要求情報の入手に時間を要し、広告情報の入手は直ちに可能な場合、例えば、アクセスポイント提供装置３内に、広告情報記録部２２が配置されている場合が想定される。図６は、図３と同じ符号の処理は、図３と同様であるため、図３と異なる点を中心に説明する。例えば、図４の情報２００、情報２２０では、要求情報へ追加する形式で広告情報が提供されるため、別々に情報を提供することが可能になる。
【００１８】
アクセス判定部３１は、要求を受け付け（Ｓ６１）、情報要求を判定し（Ｓ６２）、要求情報入手の処理を開始する（Ｓ６３）。同時に、広告情報を入手し（Ｓ６４）、直ちに、広告情報を提供する（Ｓ６７）。この時点から、利用者端末４は、広告情報の提供を受ける（Ｓ５３）。次に、情報処理部３２が要求情報を入手した時点で、要求情報を利用者端末４へ提供する（Ｓ６８）。また、アクセスカウンタをカウントアップする（Ｓ６６）。
【００１９】
次に、アクセスポイント提供装置３が利用者端末４からインターネット網１への接続要求を受け付けた場合を説明する。
図７は、図３と同じ符号の処理は、図３と同様である。以下、動作を説明する。
利用者端末４からの要求がインターネット網１への接続の場合、アクセス判定部３１は、情報要求を受け付け（Ｓ６１）、受け付けた情報要求を判定し（Ｓ６２）、要求がインターネット網１への接続であることを判定する。次にアクセス判定部３１は、インターネット網１への接続処理を開始する（Ｓ６９）。同時に、アクセス判定部３１は、情報処理部３２へ広告情報を入手することを指示し、情報処理部３２は、広告情報を入手し（Ｓ６４）、インターネット網１への接続が完了するまでの間、広告情報を利用者端末４へ提供する（Ｓ７０）。また、アクセスカウンタをカウントアップする（Ｓ６６）。接続が完了した時点で、広告の提供を中止する（Ｓ７１）。
【００２０】
図６、図７の動作は一例であり、その他の動作も可能である。また、アクセス判定部３１は、利用者端末４から受け付けた情報要求を判定し、判定した結果に基づいて、動作を変更する。
【００２１】
実施の形態３．
実施の形態３では、利用者端末４が、所定のエリア内で発信される情報の受信を待ち受ける待機状態の設定を有する場合に提供するサービスについて説明する。
情報処理部３２は、待機状態の設定をしている利用者端末４へ提供する利用者提供情報を作成する。アクセス判定部３１は、利用者提供情報を待機状態の設定をしている利用者端末４へ送信する。この送信は、不特定の利用者端末向けに送信することによって、待機状態にある利用者端末４が受信することになる。
【００２２】
例えば、実施の形態１のシステム構成、宣伝費および広告情報の流れにおいて、特開２００２−１０９３５６号公報（特許文献３）に一例として示されたようなシステムを用いて、店舗等個人で提供されたアクセスポイントの提供エリアに出入りした際に接続の可否を伝えるとともに、宣伝情報も合わせて通知することも可能である。
【００２３】
実施の形態４．
実施の形態４では、利用者端末４が、アクセスポイント提供装置３を経由して通話する場合のサービスについて説明する。
アクセス判定部３１は、利用者端末４が通話を保留していることを検出し、情報処理部３２は、広告情報を保留中の利用者端末へ提供する。
このようにして、通話を保留している利用者端末４へ広告情報を提供することが可能となる。
【００２４】
なお、利用者端末４が、電話を保留したか否かは、アクセス判定部３１が電話機側の制御機能と連動して検出することになる。保留音については、通常、電話機側の機能であり、電話機側の制御機能（保留音制御部）が広告情報受信に対応している場合に、アクセス判定部３１が制御機能と連動して広告情報を提供することが可能となる。また、保留状態が終了したか否かについても同様に、電話機側の制御機能（保留音制御部）が広告情報受信に対応している場合に、アクセス制御部３１が検出することができる。
また、利用者端末４が、受信呼び出しであるか否かは、アクセス判定部３１が検出し、受信呼び出しである場合に、広告情報を提供することができる。
【００２５】
例えば、実施の形態１のシステム構成、宣伝費および広告情報の流れにおいて、特開平１０−２７１２２６号公報（特許文献２）に一例として示されたようなシステムを用いて、店舗等個人で提供されたアクセスポイントを利用してインターネット電話を受信または保留する際、受信呼び出し、保留時にアクセスポイントに特化した宣伝情報を提供することも可能である。
【００２６】
実施の形態５．
実施の形態５では、図４に説明した情報２１０を利用者端末４へ提供する場合の動作の一例を説明する。
要求情報は、情報を挿入する領域を有する。情報処理部３２は、上記領域へ広告情報Ｂを挿入する。
例えば、図４の情報２１０では、情報１００の広告情報Ａと広告情報Ｂと差しかえられている。
また、情報１１０において、要求情報の領域に広告情報Ｂを挿入する領域が設置されている場合であってもよい（図４の情報１１０の要求情報の大きさを拡大するイメージ）。
【００２７】
例えば、実施の形態１のシステム構成、宣伝費および広告情報の流れにおいて、特開２００１−３０６９２２号公報（特許文献１）に一例として示されたようなシステムを用いて、店舗等個人で提供されたアクセスポイントにてインターネットよりホームページ閲覧や、データのダウンロードを行う際に表示されるバナー広告等にアクセスポイントに特化した宣伝情報を提供することも可能である。
【００２８】
【発明の効果】
この発明によれば、アクセスポイント提供者は、アクセスポイント提供装置３を用いて、広告料収入を得ることが可能になる。
【図面の簡単な説明】
【図１】アクセスポイント提供方式の一例を示すシステム構成ブロック図。
【図２】アクセスポイント提供装置３の構成の一例を示した図。
【図３】アクセスポイント提供装置及び利用者端末の動作の一例を示した図。
【図４】利用者端末４へ提供された情報の構成を示す図。
【図５】宣伝データ情報が提供された際の宣伝費と広告情報の流れを表す図。
【図６】アクセスポイント提供装置及び利用者端末の動作の一例を示した図。
【図７】アクセスポイント提供装置及び利用者端末の動作の一例を示した図。
【符号の説明】
１  インターネット網、２  情報データサーバ、３  アクセスポイント提供装置、４  利用者端末、５  宣伝データの流れ、６  ルータ、７  イントラネット網、８  広告主、９  宣伝費、１０  インターネットサービスプロバイダ（ＩＳＰ）、１１  ホームページ提供者、１２  アクセスポイント提供者、１３  依頼広告、１４  自主広告、１５  利用者、２１  要求情報記録部、２２  広告情報記録部、３１  アクセス判定部、３２  情報処理部、３３  アクセスカウンタ、１００，１１０，２００，２１０，２２０  情報。
【図１】
2004258945.tif 000003
【図２】
2004258945.tif 000004
【図３】
2004258945.tif 000005
【図４】
2004258945.tif 000006
【図５】
2004258945.tif 000007
【図６】
2004258945.tif 000008
【図７】
2004258945.tif 000009